(57)【特許請求の範囲】
【請求項１】
調味料容器の上部に、キャップ本体と押さえ具用スペースを確保できる、複数の調味料容器を皿状底板上に緩嵌して、複数の調味料容器間には皿状底板に軸柄を立設してあり、押さえ具は留め具部分と下方に曲げられた押さえ部部分とで構成してあり、押さえ具はキャップ本体に当たらない形状にしてあり、調味料容器が皿状底板から外れないように、軸柄に上下動可能に取り付けた押さえ具付ろくろを下降させて、押さえ具用スペースと押さえ具に設けた留め部を係合しつつ、弾性体で作成してある押さえ部が調味料容器を皿状底板側に押止して、軸柄に設けた係止爪にて係止でき、係止を外す時はろくろをつまみ、係止爪を指で押さえると爪が外れ、押さえつけられていた弾性体で作成してある押さえ部の復元力により、押さえ具付ろくろは押さえ具用スペースから浮くので、後はそのまま押さえ具付ろくろを上に上げることができることを特徴とする複数調味料容器。
【請求項２】
調味料容器の上部にキャップ本体を持ち、キャップ本体天板部に蓋体と押さえ具用スペースを確保できる、複数の調味料容器を皿状底板上に緩嵌して、複数の調味料容器間には皿状底板に軸柄を立設してあり、押さえ具は留め具部分と下方に曲げられた押さえ部部分とで構成してあり、押さえ具は蓋体に当たらない形状にしてあり、調味料容器が皿状底板から外れないように、軸柄に上下動可能に取り付けた押さえ具付ろくろを下降させて、押さえ具用スペースと押さえ具に設けた留め部を係合しつつ、弾性体で作成してある押さえ部がキャップ本体上部を皿状底板側に押止して、軸柄に設けた係止爪にて係止でき、係止を外す時はろくろをつまみ、係止爪を指で押さえると爪が外れ、押さえつけられていた弾性体で作成してある押さえ部の復元力により、押さえ具付ろくろは押さえ具用スペースから浮くので、後はそのまま押さえ具付ろくろを上に上げることができることを特徴とする複数調味料容器。
【発明の詳細な説明】
【技術分野】
【０００１】
本発明は、食卓や台所で用いる調味料容器において、例えば塩、コショー、粉唐辛子など複数の調味料を入れる事が出来る容器であって、従来の複数の調味料容器を備える容器よりも、使い勝手を良くした複数調味料容器に関するものである。
【背景技術】
【０００２】
従来の複数の調味料容器を備える容器には、相合して一対の円筒状となる１対の半月形有底主筒を背壁の重合状に並列して両主筒の底部に共通の皿状底版を嵌支させ、円形の注出蓋体の裏面に前記背壁に嵌合する切欠を介して両主筒に密嵌される半月形筐筒部を突設し、注出蓋体の周縁に注出孔をガイド嘴等と共に形成して注出蓋体を両主筒の開口上面嵌設したことを特徴とする調味料容器がある（例えば、特許文献１参照。）。
【０００３】
また、容器の下端に着脱自在に嵌着した底板の内面適宜の個所に、仕切板の横幅と同じ長さに形成した適宜の高さを持つ断面Ｕ字型の挟持溝により、仕切り板の下端を緊密に挟
持させて成ることを特徴とする粉末調味料用振掛け容器がある（例えば、特許文献２参照。）。
【０００４】
以下、従来の特許文献について説明する。特許文献１の調味料容器では、両主筒の底部に共通の皿状底版が嵌支されているので、皿状底版を取り外す時に労力を要する。
【０００５】
特許文献２の粉末調味料用振掛け容器では、容器の下端に底板が嵌着してあるので、底板を取り外す時に労力を要する。
【先行技術文献】
【特許文献】
【０００６】
【特許文献１】実公昭４０−００３９８４号公報（実用新案登録請求の範囲）
【特許文献２】実公昭４８−００７２３８号公報（第１頁、考案の詳細な説明、第２３行から第２７行）
【発明の概要】
【発明が解決しようとする課題】
【０００７】
解決しようとする問題点は、特許文献１では両主筒の底部に共通の皿状底版が嵌支されているので、皿状底版を取り外す時に労力を要すること。
【０００８】
特許文献２では、容器の下端に底板が嵌着してあるので、底板を取り外す時に労力を要する点である。
【課題を解決するための手段】
【０００９】
本発明は、複数の調味料容器が皿状底板上に緩嵌してあり、複数の調味料容器間には皿状底板に軸柄が立設してあり、調味料容器が皿状底板から外れないように、軸柄の上方に取り付けた上下動可能な押さえ具付ろくろを下降させて、軸柄に設けた係止爪（ハジキ）にて係止してある。調味料容器を皿状底板から外す時は、洋傘のように係止爪（ハジキ）を押さえると、押さえ具付ろくろが上がるので、余分な労力を要することなく調味料容器を取り外す事が出来ることを最も主要な特徴とする。
【発明の効果】
【００１０】
本発明の複数調味料容器は、皿状底板上に容器が緩嵌してあり、軸柄に設けた係止爪（ハジキ）と上下動可能な押さえ具付ろくろにより、洋傘を開閉する時の様に容易な操作で調味料容器の脱着が出来るので、個々の容器の調味料補充や、容器の洗浄が手軽に出来る。また、軸柄のストッパをキャラクタ型ろくろストッパにすれば食卓が盛り上がるし、引っ掛け型ろくろストッパにすれば台所の壁に設けたフックなどにかける事が出来るので、省スペース性に優れるという利点がある。
【図面の簡単な説明】
【００１１】
【図１】図１は押さえ具が調味料容器上部のキャップ本体に当たらない形状にしてあり、調味料容器を押さえ具で皿状底板側に押止している例の斜視図である。
【図２】図２はキャップ本体の上の一部が蓋体として開閉できる構造であり、押さえ具が蓋体に当たらない形状にしてあり、キャップ本体上部を押さえ具で皿状底板側に押止している例の斜視図である。
【図３】図３は図１の例から調味料容器を１個取り外してあり、ストッパを引っ掛け型ろくろストッパとした例の斜視図である。
【図４】図４Ａはろくろを軸柄に沿って係止爪（ハジキ）より上に上昇させた例の斜視図であって、図４Ｂはろくろを軸柄に沿って下降させた時に係止爪（ハジキ）によって係止されている例の斜視図である。
【図５】図５Ｃはろくろを上昇させた時に弾性体で作成してある押さえ部が押さえ具用スペースから離れている例の正面図であって、図５Ｄはろくろを下降させて弾性体で作成してある押さえ部が押さえ具用スペースを押さえつけている例の正面図である。
【図６】図６は押さえ具側留め部が下向き凸状で、調味料容器側留め部が凹状である例で、図６Ｅがろくろの上昇時であり、図６Ｆがろくろの下降時である例のいずれも正面図である。
【図７】図７は軸柄と上下動可能なろくろの側面図である。
【発明を実施するための形態】
【００１２】
複数の調味料容器を備える容器において、両主筒の底部に共通の皿状底版が嵌支されているものとか、容器の下端に底板が嵌着してあるものなどにおいて、底板を取り外す時に労力を要するという事を防ぐ目的を、複数の調味料容器が皿状底板上に緩嵌してあり、複数の調味料容器間には皿状底板に軸柄が立設してあり、調味料容器が皿状底板から外れないように、軸柄の上方に取り付けた上下動可能な押さえ具付ろくろを下降させて、軸柄に設けた係止爪（ハジキ）にて係止し、調味料容器を皿状底板から外す時は、係止爪（ハジキ）を押さえると押さえ具付ろくろが上がるので、余分な労力を要することなく調味料容器を取り外す事が出来る事で実現した。
【００１３】
以下に本発明の実施形態を、図面を参照しながら具体的に説明するがこの実施形態に限定されるものではない。図１は、押さえ具５が調味料容器１１上部のキャップ本体２に当たらない形状にしてあり、調味料容器１１を押さえ具５で皿状底板４側に押止している例の斜視図であって、調味料容器１１の固定は、皿状底板４に立設した軸柄３の上方に取り付けた押さえ具５付ろくろ３２を、留め部目印１３を利用して位置決めをしつつ下降させて、軸柄３に設けた係止爪（ハジキ）３１にて係止することで皿状底板４に調味料容器１１を固定する。
【００１４】
なお、キャップ本体２と調味料容器１１の取り付け構造はねじ式であっても、スナップ式であっても、ロック式であってもよい。また、キャップ本体２に蓋体２１と振り出し孔２３を設けずに、別途、孔付中栓を設けてもよい。
【００１５】
図２は、キャップ本体２の上の一部が蓋体２１として開閉できる構造であり、押さえ具５が蓋体２１に当たらない形状にしてあり、キャップ本体２上部を押さえ具５で皿状底板４側に押止している例の斜視図であって、調味料容器１１の固定は、皿状底板４に立設した軸柄３の上方に取り付けた押さえ具５付ろくろ３２を、留め部目印１３を利用して位置決めをしつつ下降させて、軸柄３に設けた係止爪（ハジキ）３１にて係止することで皿状底板４に調味料容器１１を固定する。
【００１６】
図３は、図１の例から調味料容器１１を１個取り外してあり、ストッパを引っ掛け型ろくろストッパ３８とした例の斜視図であって、調味料容器１１を皿状底板４から取り外す事が出来るので個々の容器の調味料補充や、容器の洗浄が手軽に出来る。
【００１７】
図４Ａは、ろくろ３２を軸柄３に沿って係止爪（ハジキ）３１より上に上昇させた例の斜視図であって、洋傘のように係止爪（ハジキ）３１を押してろくろ３２を上げる事が出来、ポッチ型ろくろストッパ３３でろくろ３２の上昇を止めることが出来る。図４Ｂは、ろくろ３２を軸柄３に沿って下降させた時に係止爪（ハジキ）３１によって係止されている例の斜視図であって、ろくろ３２を係止爪（ハジキ）３１で係止できる。
【００１８】
図５Ｃは、ろくろ３２を上昇させた時に弾性体で作成してある押さえ部５２が押さえ具用スペース１７から離れている例の正面図であって、押さえ具５は留め具５１部分と下方に曲げられた押さえ部５２部分とで構成してあり、弾性体で作成してある押さえ部５２は押さえ具用スペース１７から離れているので、押さえ具用スペース１７を押さえ付ける力を失っている。図５Ｄは、ろくろ３２を下降させて弾性体で作成してある押さえ部５２が押さえ具用スペース１７を押さえつけている例の正面図であって、弾性体で作成してある押さえ部５２が押さえ具用スペース１７を動かないように押さえつけている。そして、ろくろ３２は係止爪（ハジキ）３１で係止してある。係止を外す時は、洋傘で係止爪（ハジキ）３１を操作する時の様に、ろくろ３２をつまみ、係止爪（ハジキ）３１を指で押さえると爪が外れ、押さえつけられていた弾性体で作成してある押さえ部５２の復元力により、押さえ具５付ろくろ３２は押さえ具用スペース１７から浮くので、後はそのまま押さえ具５付ろくろ３２を上に上げる。
【００１９】
なお、留め部目印１３は係止爪（ハジキ）３１の先方に設けてあり、ろくろ窓穴３６側にも押さえ具側留め部５３が設けてあるので、留め部目印１３とろくろ窓穴３６側にある押さえ具側留め部５３が合うように押さえ具５付ろくろ３２を下降すれば、調味料容器１１を固定しつつ、ろくろ３２を係止爪（ハジキ）３１で係止できる。
【００２０】
図６は、押さえ具側留め部Ｃ５５が下向き凸状で、調味料容器側留め部Ｃ１５が凹状である例で、図６Ｅがろくろ３２の上昇時であり、図６Ｆがろくろ３２の下降時である例のいずれも正面図であって、他の留め部の向きも同様であり、機能も図５と同様である。
【００２１】
図７は、軸柄３と上下動可能なろくろ３２の側面図であって、ろくろ３２を下降させていくと、軸柄窓穴３４から覗く係止爪（ハジキ）３１を、ろくろ窓穴３６が捕捉してろくろ３２を係止することが出来る。
【００２２】
このようにして作成された複数調味料容器は、複数の調味料容器１１が皿状底板４上に緩嵌してあり、調味料容器１１を係脱する場合は、係止爪（ハジキ）３１を押さえるだけで押さえ具５付ろくろ３２が上がり、容易に底版を取り外すことが出来るので、従来の複数の調味料容器を備える容器のように、両主筒の底部に共通の皿状底版が嵌支されているので、皿状底版を取り外す時に労力を要するとか、容器の下端に底板が嵌着してあるので、底板を取り外す時に労力を要するという問題点を解消できる。
【符号の説明】
【００２３】
１    本体
１１  調味料容器
１２  調味料容器側留め部Ａ
１３  留め部目印
１４  調味料容器側留め部Ｂ
１５  調味料容器側留め部Ｃ
１６  調味料容器側留め部Ｄ
１７  押さえ具用スペース
２    キャップ本体
２１  蓋体
２２  つまみ
２３  振り出し孔
２４  天板部
３    軸柄
３１  係止爪（ハジキ）
３２  ろくろ
３３  ポッチ型ろくろストッパ
３４  軸柄窓穴
３５  穴
３６  ろくろ窓穴
３７  キャラクタ型ろくろストッパ
３８  引っ掛け型ろくろストッパ
４    皿状底板
４１  容器位置決め部
５    押さえ具
５１  留め具
５２  押さえ部
５３  押さえ具側留め部Ａ
５４  押さえ具側留め部Ｂ
５５  押さえ具側留め部Ｃ
５６  押さえ具側留め部Ｄ
【要約】
【課題】従来の複数の調味料容器を備える容器には、両主筒の底部に共通の皿状底版が嵌支されているものとか、容器の下端に底板が嵌着してあるものがあり、底版を取り外す時に労力を要するという問題があった。余分な労力を要することのない容器を提供する。
【解決手段】複数の調味料容器１１が皿状底板４上に緩嵌してあり、複数の調味料容器１１間には皿状底板４に軸柄３が立設してあり、調味料容器１１は軸柄３の上方に取り付けた上下動可能な押さえ具５付ろくろ３２を下降させて、軸柄３に設けた係止爪（ハジキ）３１にて係止してある。調味料容器１１を皿状底板４から外す時は、係止爪（ハジキ）３１を押さえると、押さえ具５付ろくろ３２が上がるので、余分な労力を要することなく調味料容器１１を取り外す事が出来る。
【選択図】図１【図１】
0005822367.tif 000002
【図２】
0005822367.tif 000003
【図３】
0005822367.tif 000004
【図４】
0005822367.tif 000005
【図５】
0005822367.tif 000006
【図６】
0005822367.tif 000007
【図７】
0005822367.tif 000008